(57)【要約】【課題】小型のディスプレイを備える画像表示装置において、画像の視認性を低下させることなくタリー情報を表示すること。【解決手段】携帯型画像表示装置であるＨＭＤ１０は、小型のディスプレイ２５と、画像の表示制御を行う画像表示制御部１５とを備える。画像表示制御部１５は、副調整室３から取得したタリー信号に基づいて、ディスプレイ２５に表示する画像のサイズ、輝度、色等の表示態様を変更する処理を行う。これにより、ディスプレイ２５には、本来の画像の表示領域が侵食されることなくタリー情報が表出される。【選択図】図５
2019060913.tif 000002
【特許請求の範囲】
【請求項１】
画像信号を取得する画像信号取得部と、前記画像信号に基づく画像を表示するディスプレイと、前記ディスプレイに表示する画像の表示制御を行う画像表示制御部と、前記画像に関するタリー信号を取得するタリー信号取得部とを備える携帯型画像表示装置であって、
前記画像表示制御部が、取得した前記タリー信号に基づいて、前記ディスプレイに表示する前記画像の表示態様を変更する処理を行う携帯型画像表示装置。
【請求項２】
使用者の頭部に装着するための装着具を備えるヘッドマウントディスプレイである、請求項１に記載の携帯型画像表示装置。
【請求項３】
前記画像表示制御部が前記タリー信号に基づいて前記画像のサイズを変更する処理を行う、請求項１又は２に記載の携帯型画像表示装置。
【請求項４】
前記画像表示制御部が、使用中であることを示すタリー信号を取得する間、前記画像のサイズを拡大する処理を行う、請求項１〜３の何れかに記載の携帯型画像表示装置。
【請求項５】
前記画像表示制御部が、使用中でないことを示すタリー信号を取得する間、前記画像のサイズを縮小する処理を行う、請求項１〜４の何れかに記載の携帯型画像表示装置。
【請求項６】
前記画像表示制御部が前記タリー信号に基づいて前記画像の輝度を変更する処理を行う、請求項１〜５の何れかに記載の携帯型画像表示装置。
【請求項７】
前記画像表示制御部が前記タリー信号に基づいて前記画像の周辺部の表示態様を変更する処理を行う、請求項１〜６の何れかに記載の携帯型画像表示装置。
【請求項８】
前記画像表示制御部が、使用中であることを示すタリー信号を取得する間、前記画像の周辺部を点滅させる処理を行う、請求項７に記載の携帯型画像表示装置。
【請求項９】
前記画像表示制御部が前記タリー信号に基づいて前記画像の色を変更する処理を行う、請求項１〜８の何れかに記載の携帯型画像表示装置。
【請求項１０】
前記画像表示制御部が前記タリー信号に基づいて前記画像の周辺部の色を変更する処理を行う、請求項９に記載の携帯型画像表示装置。
【請求項１１】
前記画像表示制御部が、使用中でないことを示すタリー信号を取得する間、前記画像を単色で前記ディスプレイに表示し、使用中であることを示すタリー信号を取得する間、前記画像の表示を多色表示に切り替える処理を行う、請求項１〜１０の何れかに記載の携帯型画像表示装置。
【請求項１２】
前記ディスプレイの動きを検出する検出部を更に備え、
前記ディスプレイが、ＲＧＢの各光を時分割で出力するフィールドシーケンシャル方式で前記画像を表示し、前記検出部で検出された当該ディスプレイの動きの量が所定の閾値を超えたとき、他の方式に切り替えて前記画像を表示するように構成されている、請求項１〜８の何れかに記載の携帯型画像表示装置。
【請求項１３】
画像表示制御部の演算処理により、画像信号に基づく画像を携帯型画像表示装置に表示する画像表示制御方法であって、
前記画像表示制御部による演算処理が、
前記画像信号を取得するステップと、
前記画像に関するタリー信号を取得するステップと、
前記タリー信号が使用中でないことを示す間、第１表示態様で前記画像を前記ディスプレイに表示するステップと、
前記タリー信号が使用であることを示す間、前記第１表示態様とは異なる第２表示態様で前記画像を前記ディスプレイに表示するステップと
を含む画像表示制御方法。
【発明の詳細な説明】
【技術分野】
【０００１】
本発明は、小型のディスプレイを備える携帯型の画像表示装置、及び、携帯型画像表示装置に画像を表示するための画像表示制御方法に関する。
【背景技術】
【０００２】
複数台のテレビカメラから得た放送素材信号を中継するテレビ中継放送システムにおいては、副調整室のモニタに各テレビカメラにより撮影中の画像が表示され、番組制作スタッフがモニタの画像を見ながらスイッチャを操作することにより、放送に使用する画像が適宜選択される。スイッチャからは、選択されたテレビカメラに対しタリー信号が出力され、カメラ側では上部に取り付けたタリーランプを点灯させることにより、当該カメラで撮影中の画像が放送に使用中であることを、出演者や周辺のスタッフに示している。
【０００３】
今日ではニュースの取材、スポーツ中継など機動性が求められる撮影の殆どにおいて、肩に担ぐことができるＥＮＧ（Ｅｌｅｃｔｒｏｎｉｃ  Ｎｅｗｓ  Ｇａｔｈｅｒｉｎｇ）カメラが用いられている。そのようなハンドヘルドカメラには、通常、小型のサブモニタが付帯している。近年ではそのようなサブモニタとして、携帯電話やヘッドマウントディスプレイ（ＨＭＤ：Ｈｅａｄ  Ｍｏｕｎｔｅｄ  Ｄｉｓｐｌａｙ）などの携帯型画像表示装置の利用が検討されている。
【０００４】
また、カメラマン自身が撮影画像（モニタリング画像）を見ながらタリー情報を知りたいというニーズもある。例えば特許文献１には、地上デジタルエリア放送の１ｃｈの各セグメントに複数台の異なるカメラからの映像をそれぞれ割り当てて送信し、受信機能付きの携帯電話に、各カメラのモニタリング画像とともに、現在Ｏｎ−Ａｉｒ選択されている映像の上部にレッドタリー表示をすることが提案されている。
【０００５】
しかし一般には、視認性の観点から、携帯電話等の比較的小さいサイズのディスプレイにマルチウインドウ表示することは困難とされている。この課題に関連し、例えば特許文献２には、撮影機能を有する携帯電話の待ち受け画面に当該撮影機能をフォアグランドで起動させるためのアイコンを表示させ、バックグラウンドで撮影中の動画像をそのアイコンに表示することにより、他の機能（アプリ）の起動や動作を妨げないようにした端末装置が開示されている。また、例えば特許文献３には、ＨＭＤに複数台のカメラで撮影中のモニタリング画像をそれぞれ表示させ、オンエア中のモニタリング画像の周囲を実線で囲む表示をする仮想副調装置が開示されている。
【先行技術文献】
【特許文献】
【０００６】
【特許文献１】特開２０１１−２５０３５９号公報
【特許文献２】特開２０１５−５７７３４号公報
【特許文献３】特開２０００−１５２０７５号公報
【発明の概要】
【発明が解決しようとする課題】
【０００７】
このように、携帯電話やＨＭＤ等の比較的小型のディスプレイに、マルチウインドウでテレビカメラのモニタリング画像とタリー情報とを同時に表示した場合、モニタリング画像の表示領域がどうしても侵食されてしまい、十分な表示領域を確保することができなかった。また、モニタ装置とは別にタリーランプを設けることも考えられるが、カメラマンがタリー情報を見落とすリスクや、カメラの可搬性又はフットワーク等の機動性においても課題が残る。
【０００８】
本発明は、このような従来の課題に鑑みてなされたものであり、小型のディスプレイに表示する画像の視認性を低下させることなく、画像とともにタリー等の情報を表示する技術を提供することを目的としている。
【課題を解決するための手段】
【０００９】
上述した課題を解決するため、本発明は、画像信号を取得する画像信号取得部と、前記画像信号に基づく画像を表示するディスプレイと、前記ディスプレイに表示する画像の表示制御を行う画像表示制御部と、前記画像に関するタリー信号を取得するタリー信号取得部とを備える携帯型画像表示装置であって、前記画像表示制御部が、取得した前記タリー信号に基づいて、前記ディスプレイに表示する前記画像の表示態様を変更する処理を行う携帯型画像表示装置である。
【００１０】
前記携帯型画像表示装置は、使用者の頭部に装着するための装着具を備えるヘッドマウントディスプレイであることが好ましい。
【００１１】
また、前記携帯型画像表示装置は、前記画像表示制御部が前記タリー信号に基づいて前記画像のサイズを変更する処理を行うことが好ましい。
【００１２】
また、前記携帯型画像表示装置は、前記画像表示制御部が、使用中であることを示すタリー信号を取得する間、前記画像のサイズを拡大する処理を行うものでもよい。
【００１３】
また、前記携帯型画像表示装置は、前記画像表示制御部が、使用中でないことを示すタリー信号を取得する間、前記画像のサイズを縮小する処理を行うものでもよい。
【００１４】
また、前記携帯型画像表示装置は、前記画像表示制御部が前記タリー信号に基づいて前記画像の輝度を変更する処理を行うものでもよい。
【００１５】
また、前記携帯型画像表示装置は、前記画像表示制御部が前記タリー信号に基づいて前記画像の周辺部の表示態様を変更する処理を行うものでもよい。
【００１６】
また、前記携帯型画像表示装置は、前記画像表示制御部が、使用中であることを示すタリー信号を取得する間、前記画像の周辺部を点滅させる処理を行うものでもよい。
【００１７】
また、前記携帯型画像表示装置は、前記画像表示制御部が前記タリー信号に基づいて前記画像の色を変更する処理を行うものでもよい。
【００１８】
また、前記携帯型画像表示装置は、前記画像表示制御部が前記タリー信号に基づいて前記画像の周辺部の色を変更する処理を行うものでもよい。
【００１９】
また、前記携帯型画像表示装置は、前記画像表示制御部が、使用中でないことを示すタリー信号を取得する間、前記画像を単色で前記ディスプレイに表示し、使用中であることを示すタリー信号を取得する間、前記画像の表示を多色表示に切り替える処理を行うものでもよい。
【００２０】
また、前記携帯型画像表示装置は、前記ディスプレイの動きを検出する検出部を更に備え、前記ディスプレイが、ＲＧＢの各光を時分割で出力するフィールドシーケンシャル方式で前記画像を表示し、前記検出部で検出された当該ディスプレイの動きの量が所定の閾値を超えたとき、他の方式に切り替えて前記画像を表示するように構成されていることが好ましい。
【００２１】
また、本発明は、画像表示制御部の演算処理により、画像信号に基づく画像を携帯型画像表示装置に表示する画像表示制御方法であって、前記画像表示制御部による演算処理が、前記画像信号を取得するステップと、前記画像に関するタリー信号を取得するステップと、前記タリー信号が使用中でないことを示す間、第１表示態様で前記画像を前記ディスプレイに表示するステップと、前記タリー信号が使用であることを示す間、前記第１表示態様とは異なる第２表示態様で前記画像を前記ディスプレイに表示するステップとを含む画像表示制御方法である。
【発明の効果】
【００２２】
本発明によれば、取得したタリー信号に基づいて、ディスプレイに表示する画像の表示態様を変更する。これにより、画像の表示領域を侵食することなく、当該画像とともにタリー情報をディスプレイに表出することができる。したがって、小型のディスプレイを備える携帯型の画像表示装置であっても、画像の視認性が低下せず、使用者にタリー情報を確実に認識させることができる。
【図面の簡単な説明】
【００２３】
【図１】テレビジョン中継放送システムの概要を示すブロック図である。
【図２】携帯型画像表示装置の一例であるＨＭＤの外観斜視図である。
【図３】ＨＭＤにおける画像表示制御回路のブロック図である。
【図４Ａ】ＦＳ方式による光信号の出力タイミングチャートである。
【図４Ｂ】単色表示方式による光信号の出力タイミングチャートである。
【図４Ｃ】白黒表示方式による光信号の出力タイミングチャートである。
【図４Ｄ】高レート切替方式による光信号の出力タイミングチャートである。
【図５】第１実施例による画像の表示態様変更処理を示すフローチャートである。
【図６Ａ】第１実施例により非使用時にディスプレイに表示される画像の表示態様を例示する図である。
【図６Ｂ】第１実施例により使用時にディスプレイに表示される画像の表示態様を例示する図である。
【図７】第２実施例による画像の表示態様変更処理を示すフローチャートである。
【図８Ａ】第２実施例により非使用時にディスプレイに表示される画像の表示態様を例示する図である。
【図８Ｂ】第２実施例により使用時にディスプレイに表示される画像の表示態様を例示する図である。
【図９】第３実施例による画像の表示態様変更処理を示すフローチャートである。
【図１０Ａ】第３実施例により非使用時にディスプレイに表示される画像の表示態様を例示する図である。
【図１０Ｂ】第３実施例により使用時にディスプレイに表示される画像の表示態様を例示する図である。
【図１１】第４実施例による画像の表示態様変更処理を示すフローチャートである。
【図１２Ａ】第４実施例により非使用時にディスプレイに表示される画像の表示態様を例示する図である。
【図１２Ｂ】第４実施例により使用時にディスプレイに表示される画像の表示態様を例示する図である。
【図１３】第４実施例により使用時にディスプレイに表示される画像の他の表示態様を例示する図である。
【発明を実施するための形態】
【００２４】
＜テレビジョン中継放送システムの概要＞
本発明に係る携帯型の画像表示装置は、テレビ放送されるスポーツイベントや報道番組の取材のため、機動性が求められる現場等に持ち込まれるテレビカメラに付帯して設けられる。そこで、先ず、そのような現場での放送番組制作を行うテレビジョン中継放送システムの例を説明する。図１には、その一例であるＳＮＧ（Ｓａｔｅｌｌｉｔｅ  Ｎｅｗｓ  Ｇａｔｈｅｒｉｎｇ）中継放送システムの概要が示される。
【００２５】
図１の中継放送システムにおいて、複数台のテレビカメラ１、１、・・・で取得された番組素材（映像及び音声）は、それぞれのＣＣＵ（Ｃａｍｅｒａ  Ｃｏｎｔｒｏｌ  Ｕｎｉｔ）２に取り込まれ、変換符号化等された映像信号及び音声信号等が、本線系統を介して、副調整室（例えばＳＮＧ中継車）３に設けられた調整装置４に伝送される。
【００２６】
調整装置４は、スイッチャ、ミキサ及びテレビモニタ等の放送編集機材が組み込まれた複合装置である。各テレビカメラ１で撮影中の映像は、調整装置４のモニタにリアルタイムで表示される。副調整室３のスタッフは、調整装置４のモニタを見ながらスイッチャを切り替えることで、放送に使用する映像や画像を適時に選択することができる。また、調整装置４においては、映像信号のカット、ディゾルブ、ワイプ等の動画像効果や音声信号のミキシング等を行うことができ、中継現場に設けた副調整室３において、放送用番組の編集がほぼ出来上がる。編集された放送用番組素材は、無線中継伝送装置（ＦＰＵ：Ｆｉｅｌｄ  Ｐｉｃｋｕｐ  Ｕｎｉｔ）５において、所定のデジタル変調方式のＴＳ（Ｔｒａｎｓｐｏｒｔ  Ｓｔｒｅａｍ）信号に変換され、マイクロ波アンテナ６を介して放送局（主調整室、送信所など）に伝送される。また、収録番組の制作や再放送のために、副調整室３で編集された放送用番組が、録画装置７などの電子媒体に記録される。
【００２７】
また、調整装置４からはタリー信号が発信される。ここで、画像に関する「タリー信号」は、調整装置４のスイッチングにより、どのカメラが撮影した画像（映像）が放送に使用中か否かを示す信号である。また、本明細書において画像又は映像が「使用」されるとは、その画像等が放送番組制作用に選択されることを意味し、その選択された画像等が生放送でリアルタイムに放送される場合のほか、後日放送するために収録（記録）される場合も含む。
【００２８】
調整装置４から送信されるタリー信号は、現在放送に使用中であることを示すオンエア・タリー信号と、次に使用されることを示すネクスト・タリー信号とを含む。すなわち、現在選択されているテレビカメラ１（又はＣＣＵ２）にはオンエア・タリー信号が送信され、次に選択される予定のテレビカメラ１（又はＣＣＵ２）にはネクスト・タリー信号が送信される。テレビカメラ１の上部には、例えば赤色のオンエア・タリーランプと、例えば緑色のネクスト・タリーランプが設けられている。この場合、テレビカメラ１が調整装置４からオンエア・タリー信号を受信すると、赤色のタリーランプが点灯し、ネクスト・タリー信号を受信すると、緑色のタリーランプが点灯する。番組の出演者や制作スタッフは、タリーランプの点灯により、どのカメラが放送に使用されているのかを知ることができる。
【００２９】
なお、本明細書において「使用中であることを示す」タリー信号は、基本的には上述のオンエア・タリー信号を意味する。また、「使用中でないことを示す」タリー信号は、上述のオンエア・タリー信号及びネクスト・タリー信号の何れでもない非アクティブの信号を意味する。ただし、「使用中でないことを示す」タリー信号がオンエア以外の状態を示す信号（例えばネクスト・タリー信号）を含むものとして解釈してもよい。
【００３０】
本実施形態では、携帯型画像表示装置を注視するカメラマン自身がタリー情報を確実に認識できるようにするために、画像の表示態様を変更することで、小型のディスプレイにタリーを表出できるようにした。そこで、次に、そのような本発明に適用できる携帯型又はウェアラブル型の画像表示装置の一例として、ヘッドマウントディスプレイ（以下「ＨＭＤ」という。）１０を説明する。
【００３１】
＜ＨＭＤ（携帯型画像表示装置）の構成＞
図２はＨＭＤ１０の外観を示す斜視図である。ＨＭＤ１０は、装着具１１と、連結具１２と、表示ユニット１３とを備えている。表示ユニット１３には、ケーブル１４を介してコントロールボックス（以下、「ＣＢ」という。）１５が接続される。ＣＢ１５は、ケーブル１６を介し、テレビカメラ１や図示しない画像再生プレイヤ等の外部から入力される画像信号に基づいて、表示ユニット１３のディスプレイ（液晶パネル２５）に画像を表示させる制御装置である。なお、ＣＢ１５が備える画像表示制御機能（詳細は後述）が表示ユニット１３の中に一体的に組み込まれる実施態様であってもよい。
【００３２】
装着具１１は、人間の頭部にフィットするように湾曲した細長い板状部材であり、曲げ弾性又は可撓性を有する金属、樹脂又はそれらの組み合わせた材料によって構成される。より詳細に装着具１１は、湾曲部１１ａと、幅広部１１ｂ、１１ｃとを備えている。湾曲部１１ａは、Ｕ字状に湾曲する部分であり、湾曲部１１ａの左右の端部に幅広部１１ｂ、１１ｃが、それぞれ接続している。幅広部１１ｂ、１１ｃは、それらの各端部同士が互いに近づく方向にそれぞれ湾曲した形状を有している。幅広部１１ｂ、１１ｃには、使用者の頭部に接触する部分に柔軟性を有するパッド材が備えられてもよい。
【００３３】
装着具１１は、左右の各幅広部１１ｂ、１１ｃが互いに離間する方向に力が加えられると、主として湾曲部１１ａの全体が開くように弾性変形する。この状態で、使用者の前頭部に湾曲部１１ａの内側面を当接させ、左右各側頭部に幅広部１１ｂ、１１ｃの各内側面を当接させることで、装着具１１が使用者の頭部にフィットする。
【００３４】
装着具１１の幅広部１１ｃ側（使用者の左眼側）には、例えば３自由度の球面継手２２を介して、連結具１２が回動自在に設けられている。連結具１２は、例えば硬質の樹脂等により形成される棒状部材である。連結具１２の先端部には、同じく例えば３自由度の球面継手２３を介して表示ユニット１３が設けられている。この構成によりＨＭＤ１０は、装着具１１が使用者の頭部に装着した状態で、使用者の左眼前側に、表示ユニット１３を配置することができる。
【００３５】
表示ユニット１３は、中空箱状の筐体を有し、小型のカラーディスプレイである液晶パネル２５が筐体の中に収容されている。液晶パネル２５の画素サイズは、例えば１２８０×７２０ピクセルである。筐体の後端部には、液晶パネル２５の表示面に臨むようにして、透明な板部材で覆われた開口窓（図示省略）が設けられている。ＨＭＤ１０を装着した使用者は、この開口窓を通して、筐体内部の液晶パネル２５が表示する画像を視認することができる。
【００３６】
また、本実施形態によるＨＭＤ１０は、フィールドシーケンシャル方式（以下、「ＦＳ方式」という。）により、液晶パネル２５にカラー画像を表示可能とされている。ＦＳ方式は、時分割による混色を利用したカラー表示方式である。すなわち、ＦＳ方式では、赤（Ｒ）、緑（Ｇ）、青（Ｂ）の各光をフィールド間周期毎に順次切り替えて発光させ、且つ、その切り替えの速さを人間の目の時間的分解能を越えた速さとすることによって、人間の眼にＲＧＢの色が混色して認識される。
しかし、ＦＳ方式においては、ディスプレイが揺れた場合などに、カラーブレイキング（色割れ）という表示現象が発生することが知られている。カラーブレイキングは、順次表示されるＲＧＢ各色の画像が、眼球の視神経上の制約、又は人間の脳の画像認識の感覚などの要因でうまく混ざり合わないことによって発生するものと考えられている。カラーブレイキングが発生した場合、ＲＧＢ各色の画像が残像等として視認され、使用者の視認性を低下させるおそれがある。
そのため、本実施形態のＨＭＤ１０においては、後述するように、ディスプレイの動きの量（移動量や加速度等）が所定の閾値を超えたときなどカラーブレイキングが発生する可能性が生じた場合に、出力方式を他の方式に切り替えることで、使用者の視認性の低下を抑制する対策が採られている。
【００３７】
＜ＨＭＤ（携帯型画像表示装置）における画像表示制御回路＞
図３にＨＭＤ１０における画像表示制御回路のブロック図を示す。同図において、テレビカメラ１で撮影中の画像信号は、ＣＣＵ２及びＣＢ１５に入力される。ＣＣＵ２には、副調整室３のスイッチャ等から送り返し系統を介して当該テレビカメラ１のモニタリング画像信号が伝送され、その画像信号がテレビカメラ１に入力される。ＣＢ１５の画像信号入力部１５２は、テレビカメラ１から出力されるデジタルの画像信号又はＣＣＵ２を介して伝送されたモニタリング画像信号を取得するよう構成されている。なお、ＣＢ１５をＣＣＵ２に接続し、テレビカメラ１で撮影中の画像信号又は副調整室３から送り返されたモニタリング画像の画像信号を、ＣＢ１５がＣＣＵ２を介して取り込むものでもよい。また、ＣＢ１５の画像信号取得部は、画像信号としてアナログのＲＧＢ信号又はコンポジェット信号（例えばＮＴＳＣ、ＰＡＬ、ＳＣＡＭ等）を取得可能なものでもよい（図示省略）。
【００３８】
ＣＣＵ２で取得された画像信号は、復調部１５５で画像データに復号化され、１フレーム毎の画像データがフレームバッファ１５７に一旦格納される。また、ＣＰＵ１５１は、副調整室３から送信されたタリー信号を、ＣＣＵ２を経由して取得する。なお、副調整室３から送信されるモニタリング画像信号にタリー等の各種制御情報が多重化されている場合には、復調部１５５が復号したデータからＣＰＵ１５１がタリー信号を取得してもよい。
【００３９】
フレーム加工部１５６は、ＣＰＵ１５１の制御下で、フレームバッファ１５７の１フレームの画像データに対して画像処理加工を行う。フレーム加工部１５６において、具体的に例えば、液晶パネル２５の画面サイズ（解像度）やアスペクト比等に適合するように、画像のサイズ変更（拡大／縮小）や位置の移動等の処理が行われる。また後述するように、ＣＰＵ１５１は、フレーム加工部１５６を制御して、取得したタリー信号に基づいて液晶パネル２５に表示する画像のサイズを変更する処理を行うことができる。また、フレーム加工部１５６は、画像信号に多重化された複数のモニタリング画像やカメラ制御情報を、例えばマルチウインドウで表示させるような処理を行うこともできる。
【００４０】
フレーム加工部１５６で処理された画像データは、Ｙ／Ｃ分離部１５８により輝度（Ｙ）と、色（Ｃ）の情報に分離される。輝度調整部１６１は、予め設定された液晶パネル２５の明るさやコントラスト等に適合する値に輝度を調整する。また後述するように、ＣＰＵ１５１は、輝度調整部１６１を制御し、取得したタリー信号に基づいて画像の輝度を変更することができる。色補正部１６２は、予め設定された色相、彩度、カラーバランスに画像の色を補正する。
【００４１】
ビデオ信号生成部１６３は、調整された輝度データと色データをＤ／Ａ変換し、アナログのコンポジェット信号に変換する。変換生成された画像信号は、ビデオ信号出力部１６４からケーブル１４を介して表示ユニット１３に出力される。また、ビデオ信号出力部１６４は、例えばＨＤＭＩ（登録商標）規格でフォーマット変換したデジタルの画像信号を表示ユニット１３に出力するものでもよい。
【００４２】
次に、表示ユニット１３において、画像信号は、Ｙ／Ｃ分離部１３２で輝度及びＲＧＢのコンポーネント色信号に分離される。処理部（例えばＰＬＤ：Ｐｒｏｇｒａｍｍａｂｌｅ  Ｌｏｇｉｃ  Ｄｅｖｉｃｅ）１３１は、ＲＧＢ出力部１３３を制御して、コンポーネント色信号に基づき、上述したＦＳ方式によりドライバ１３４を駆動することで、液晶パネル２５にカラーの画像を表示する。
【００４３】
ここで、図４Ａには、ＦＳ方式による、垂直同期信号（Ｖｓｙｎｃ）、及び、Ｒ、Ｇ、Ｂのそれぞれのコンポーネント色信号の出力タイミングチャートが示される。同図に示されるように、ＦＳ方式では、フィールド間の切り替え周期Ｔ１毎に、Ｒ、Ｇ、Ｂのそれぞれの光が順次切り替えられて出力され、これにより液晶パネル２５にカラーの画像が再現される。
【００４４】
なお、本実施形態のＨＭＤ１０においては、カラーブレイキングを防ぐために、液晶パネル２５の動きの量（移動量、加速度、角速度等）が所定の閾値を超えたときに、液晶パネル２５への光信号の出力方式が、ＦＳ方式から他の方式に切り替えられる。
【００４５】
具体的に、例えば図４Ｂには、他の出力方式の一例である単色表示方式による色信号の出力タイミングチャートが示される。この方式では、例えばＧ（緑）の光のみが、フィールド周期Ｔ２毎に液晶パネル２５に出力される。この場合、画像信号は全て緑色の画像に変換されて液晶パネル２５に表示される。
ＨＭＤ１０は、この単色表示方式で液晶パネル２５に画像を表示させることによって、カラーブレイキングの発生を抑制できる。なぜならば、カラーブレイキングは、順次出力されるＲＧＢ各色のタイミングのずれが発生の一要因であるのに対し、この単色表示方式では、他の色とのタイミングのずれがそもそも存在しないからである。
【００４６】
また、例えば図４Ｃには、更に他の出力方式の例である白黒表示方式による色信号の出力タイミングチャートが示される。この方式では、ＲＧＢ各色の光がフィールド周期Ｔ２毎に同時に出力され、これにより元のカラー画像が白黒の画像に変換されて液晶パネル２５に表示される。ＲＧＢ光が同期して出力されるので、各色のタイミングのずれが無く、上述の単色表示方式と同様の理由でカラーブレイキングの発生を抑制できる。
【００４７】
また、例えば図４Ｄには、更に他の出力方式の例である高レート切替方式による色信号の出力タイミングチャートが示される。この方式では、ＲＧＢ各色信号の切り替え周期Ｔ３が、上述のＦＳ方式におけるフィールド間の切り替え周期Ｔ１よりも短く設定される。
この高レート切替方式によれば、ＦＳ方式よりも短い周期Ｔ３（例えばＴ１の１／２）でＲＧＢ各色の光が切り替えられながら出力される。そのため、液晶パネル２５がある程度の速さで動いたとしても、ＨＭＤ１０装着者の眼の残像効果によって各色が混ざり合う可能性を高めることができ、カラーブレイキングの発生を抑制することができる。また、ＦＳ方式と同様に、Ｒ、Ｇ、Ｂのそれぞれの光が順次切り替えられる方式であるため、高い精度で元の画像を再現することもできる。
【００４８】
ＨＭＤ１０の表示ユニット１３には、液晶パネル２５の動きの量を検出するための動き検出部１３５が備えられる。動き検出部１３５としては、例えば加速度センサ、多軸ジャイロセンサ、ＩＭＵ（Ｉｎｅｒｔｉａｌ  Ｍｅａｓｕｒｅｍｅｎｔ  Ｕｎｉｔ）等の適宜のセンサを採用することができる。
【００４９】
このように、本実施形態のＨＭＤ１０においては、表示ユニット１３の動きが大きいときなどカラーブレイキングが発生し易い状況を検出し、その際に液晶パネル２５の表示方式をＦＳ方式から他の方式に切り替えることで、常に良好な視認性の確保を図っている。
【００５０】
＜ＨＭＤ（携帯型画像表示装置）における画像処理＞
次に、ＨＭＤ１０において、取得したタリー信号に基づいて画像の表示態様を変更することにより、小型のディスプレイにタリーを表出する実施例をいくつか説明する。
【００５１】
（第１実施例）
図５は、第１実施例による画像の表示態様変更処理を示すフローチャートである。先ず、ＣＰＵ１５１は、テレビカメラ１が出力する現在撮影中の画像の画像信号を取得する（Ｓ１１）。続いてＣＰＵ１５１は、調整装置４から送信されるタリー信号を取得する（Ｓ１２）。ステップＳ１３の判断処理で、タリー信号が「使用中でないことを示す」場合には（ステップＳ１３：ＮＯ）、その間、ＣＰＵ１５１は、フレーム加工部１５６を制御して、対象画像のサイズを液晶パネル２５のフルサイズよりも小さなサイズに縮小する処理を行う（ステップＳ１４）。これにより、例えば図６Ａに示すように、放送に使用されていないモニタリング画像が、ＨＭＤ１０の液晶パネル２５の所定の位置に縮小して表示される。
【００５２】
他方、ステップＳ１３の判断処理で、タリー信号が「使用中であることを示す」場合、つまりオンエア・タリー信号の場合には（ステップＳ１３：ＹＥＳ）、その間、ＣＰＵ１５１はフレーム加工部１５６を制御して、対象画像のサイズを液晶パネル２５のフルサイズに拡大する処理を行う（ステップＳ１５）。これにより、例えば図６Ｂに示すように、放送に使用中のオンエア画像が、ＨＭＤ１０の液晶パネル２５に拡大して表示される。
【００５３】
このように、第１実施例では、ＨＭＤ１０の画像表示制御部であるＣＰＵ１５１が、取得したタリー信号に基づいて、液晶パネル２５に表示する画像のサイズを変更する処理を行うようにした。これによりＨＭＤ１０を装着するカメラマンは、液晶パネル２５に表示されている画像の大きさでタリー情報を認識することができる。また、放送に使用中のオンエア画像がＨＭＤ１０に拡大して表示されるので、ＨＭＤ１０を装着するカメラマンの視認性が低下することもない。
【００５４】
（第２実施例）
図７は、第２実施例による画像の表示態様変更処理を示すフローチャートである。先ず、ＣＰＵ１５１は、テレビカメラ１が出力する現在撮影中の画像の画像信号を取得する（Ｓ２１）。続いてＣＰＵ１５１は、調整装置４から送信されるタリー信号を取得する（Ｓ２２）。ステップＳ２３の判断処理で、タリー信号が「使用中でないことを示す」場合には（ステップＳ２３：ＮＯ）、その間、ＣＰＵ１５１は、輝度調整部１６１を制御して、対象画像の輝度を比較的低い第１輝度に調整し、画像を液晶パネル２５に表示する（ステップＳ２４）。これにより、例えば図８Ａに示すように、放送に使用されていないモニタリング画像が、ＨＭＤ１０に若干暗く表示される。
【００５５】
他方、ステップＳ２３の判断処理で、タリー信号が「使用中であることを示す」場合、つまりオンエア・タリー信号の場合には（ステップＳ２３：ＹＥＳ）、その間、ＣＰＵ１５１は輝度調整部１６１を制御して、対象画像の輝度を比較的高い第２輝度（＞第１輝度）に調整し、画像を液晶パネル２５に表示する（ステップＳ２５）。これにより、例えば図８Ｂに示すように、放送に使用中のオンエア画像が、ＨＭＤ１０の液晶パネル２５に明るく表示される。
【００５６】
このように、第２実施例では、ＨＭＤ１０の画像表示制御部であるＣＰＵ１５１が、取得したタリー信号に基づいて、液晶パネル２５に表示する画像の輝度を変更する処理を行うようにした。これによりＨＭＤ１０を装着するカメラマンは、液晶パネル２５に表示されている画像の明るさでタリー情報を認識することができる。また、放送に使用中のオンエア画像がＨＭＤ１０に明るく表示されるので、ＨＭＤ１０を装着するカメラマンの視認性が低下することもない。また、非使用時に輝度を下げることで、ＨＭＤ１０のトータルの消費電力を抑えることができる。したがって、ＨＭＤ１０のバッテリー駆動時間を延ばすことができる。
【００５７】
（第３実施例）
図９は、第３実施例による画像の表示態様変更処理を示すフローチャートである。先ず、ＣＰＵ１５１は、テレビカメラ１が出力する現在撮影中の画像の画像信号を取得する（Ｓ３１）。続いてＣＰＵ１５１は、調整装置４から送信されるタリー信号を取得する（Ｓ３２）。ステップＳ３３の判断処理で、タリー信号が「使用中でないことを示す」場合には（ステップＳ３３：ＮＯ）、その間、ＣＰＵ１５１は、色補正部１６２を制御して、モノクロの画像を液晶パネル２５に表示する（ステップＳ３４）。これにより、例えば図１０Ａに示すように、放送に使用されていないモニタリング画像が、ＨＭＤ１０にモノクロで表示される。
【００５８】
他方、ステップＳ３３の判断処理で、タリー信号が「使用中であることを示す」場合、つまりオンエア・タリー信号の場合には（ステップＳ３３：ＹＥＳ）、その間、ＣＰＵ１５１は、例えば図１０Ｂに示すようにカラーの画像を液晶パネル２５に表示する（ステップＳ３５）。
【００５９】
このように、第３実施例では、ＨＭＤ１０の画像表示制御部であるＣＰＵ１５１が、取得したタリー信号に基づいて、液晶パネル２５に表示する画像の色を変更する処理を行うようにした。これによりＨＭＤ１０を装着するカメラマンは、液晶パネル２５に表示されている画像の色でタリー情報を認識することができる。また、放送に使用中の画像をＨＭＤ１０にカラーで表示すれば、オンエア画像の良好な視認性を維持することができる。また、非使用時にモノクロ表示にすることで、ＨＭＤ１０のトータルの消費電力を抑えることができる。したがって、ＨＭＤ１０のバッテリー駆動時間を延ばすことができる。
【００６０】
（第４実施例）
図１１は、第４実施例による画像の表示態様変更処理を示すフローチャートである。先ず、ＣＰＵ１５１は、テレビカメラ１が出力する現在撮影中の画像の画像信号を取得する（Ｓ４１）。続いてＣＰＵ１５１は、調整装置４から送信されるタリー信号を取得する（Ｓ４２）。ステップＳ４３の判断処理で、タリー信号が「使用中でないことを示す」場合には（ステップＳ４３：ＮＯ）、ＣＰＵ１５１は、例えば図１２Ａに示すように、取得した画像信号に基づく画像をそのまま液晶パネル２５に表示する（ステップＳ４４）。
【００６１】
他方、ステップＳ４３の判断処理で、タリー信号が「使用中であることを示す」場合、つまりオンエア・タリー信号の場合には（ステップＳ４３：ＹＥＳ）、その間、ＣＰＵ１５１はフレーム加工部１５６を制御して、対象画像の周辺部に帯状の枠を重畳する画像処理を行う（ステップＳ４５）。これにより、例えば図１２Ｂに示すように帯状の枠で囲まれるオンエア画像が、ＨＭＤ１０の液晶パネル２５に表示される。
【００６２】
第４実施例の変形例として、画像周辺部の一部の表示態様のみを変更してもよい。例えば図１３に示すように、オンエア画像の上端部に帯を重畳し、それを背景にテロップなどでオンエア中であることを表示してもよい。また画像の周辺部の帯又は帯状の枠を点滅等させてタリーを認識させてもよい。更に、使用時と非使用時との間で、画像の周辺部の色を変更してタリーを表出してもよい。
なお、オンエア画像の周辺部に重畳される帯又は帯状の枠をシースルーで表示することで、当該周辺部の画像を、帯を通して透けて見えるようにしてもよい。
【００６３】
このように、第４実施例では、ＨＭＤ１０の画像表示制御部であるＣＰＵ１５１が、使用中であることを示すタリー信号を取得する間、オンエア画像の周辺部の表示態様を変更する画像処理を行うようにした。これによりＨＭＤ１０を装着するカメラマンは、画像に重畳された帯又は帯状の枠の有無で、タリー情報を認識することができる。また、オンエア画像の視認性が低下することもない。
【００６４】
以上説明した複数の実施例及び変形例によれば、取得したタリー信号に基づいて、画像の表示態様を変更することにより、本来の画像とともにタリー情報を表出するようにした。これにより、小型のディスプレイであるＨＭＤ１０であっても、本来の画像の表示領域が侵食されずに、使用者（カメラマン）にタリー情報を確実に認識させることができる。
【００６５】
なお、タリー信号に基づいて変更される画像の表示態様は、以上説明した複数の実施例及び変形例には限定されない。ただし、これらのような表示態様の変更を２つ以上組み合わせて、タリー情報をディスプレイに表出するものでもよい。また、オンエア・タリー信号を取得した場合と、ネクスト・タリー信号を取得した場合で、画像の表示態様を異なるものに変更してもよい。また、タリー以外の情報（例えば緊急速報やコマーシャル中など）を、画像の表示態様を変更することでディスプレイに表出してもよい。
【００６６】
また、ＨＭＤの装着具は以上説明した構成に限定されず、帽子やヘルメットなどに装着するアタッチメントのような構成でもよいし、メガネのフレームのような構成でもよい。このように使用者の頭部に装着されるＨＭＤは、装着性の観点から表示ユニットも小型化されており、その表示領域も小さくなる傾向にある。しかし、本発明によれば、このようなＨＭＤであっても画像の視認性が低下することなく使用者にタリー情報を確実に認識させることができる。更に、本発明は、上述のＨＭＤだけでなく、携帯電話や小型液晶モニタ等の携帯型又はウェアラブルの汎用ディスプレイにも適用することができる。
【符号の説明】
【００６７】
１  テレビカメラ
２  カメラコントロールユニット（ＣＣＵ）
３  副調整室
４  調整装置
１０  ヘッドマウントディスプレイ（ＨＭＤ）
１１  装着具
１２  連結具
１３  表示ユニット
１４  ケーブル
１５  コントロールボックス（ＣＢ）
２５  液晶パネル（ディスプレイ）
１３１  処理部（ＰＬＤ）
１３２  Ｙ／Ｃ分離部
１３３  ＲＧＢ出力部
１３４  ドライバ
１３５  動き検出部
１５１  ＣＰＵ
１５２  画像信号入力部
１５５  復調部
１５６  フレーム加工部
１５７  フレームバッファ
１５８  Ｙ／Ｃ分離部
１６１  輝度調整部
１６２  色補正部
１６３  ビデオ信号生成部
１６４  ビデオ信号出力部
【図１】
2019060913.tif 000003
【図２】
2019060913.tif 000004
【図３】
2019060913.tif 000005
【図４Ａ】
2019060913.tif 000006
【図４Ｂ】
2019060913.tif 000007
【図４Ｃ】
2019060913.tif 000008
【図４Ｄ】
2019060913.tif 000009
【図５】
2019060913.tif 000010
【図６Ａ】
2019060913.tif 000011
【図６Ｂ】
2019060913.tif 000012
【図７】
2019060913.tif 000013
【図８Ａ】
2019060913.tif 000014
【図８Ｂ】
2019060913.tif 000015
【図９】
2019060913.tif 000016
【図１０Ａ】
2019060913.tif 000017
【図１０Ｂ】
2019060913.tif 000018
【図１１】
2019060913.tif 000019
【図１２Ａ】
2019060913.tif 000020
【図１２Ｂ】
2019060913.tif 000021
【図１３】
2019060913.tif 000022